(57)【要約】【課題】嵌合作業の円滑性、効率性を向上させることができるコネクタ装置を提供する。【解決手段】第１のコネクタハウジング４は、取付孔７の周縁に仮係止する状態に撓み変形し、仮係止位置がロックアーム９の仮係止位置７ａを支点Ｐ１とする第１のコネクタハウジングの回転を阻止する位置に設定されている回転阻止用ロックアーム２００を有し、第２のコネクタハウジング３は、回転阻止用ロックアームを撓み変形させる回転阻止用押圧部２５０を有し、ロックアーム係止部８がロックアームを取付孔の周縁に仮係止するタイミングで、回転阻止用押圧部が、回転阻止用ロックアームを取付孔の周縁に仮係止状態とする。【選択図】図７
2016066562.tif 000002
【特許請求の範囲】
【請求項１】
取付部材の取付孔の一方側から挿入される第１のコネクタハウジングと、前記取付部材の取付孔の他方側から挿入される第２のコネクタハウジングとを備え、
前記第１のコネクタハウジングは、前記取付孔の周縁に仮係止される仮係止部と前記第２のコネクタハウジングに係止されるロックアームとを有し、
前記第２のコネクタハウジングは、前記第１のコネクタハウジングへの嵌合過程で前記仮係止部を解除位置に変位させる仮係止解除部と前記ロックアームを前記取付孔の周縁に仮係止させる状態に撓み変形させ、且つ、前記ロックアームを係止するロックアーム係止部と取付孔の挿入完了位置で前記取付孔の周縁に係止する本係止部とを有し、
前記仮係止部が前記取付孔の周縁に仮係止された前記第１のコネクタハウジングに前記第２のコネクタハウジングを嵌合すると、嵌合過程で前記ロックアーム係止部によって前記ロックアームを前記取付孔の周縁に仮係止するように弾性変形し、この仮係止状態で前記仮係止解除部が前記仮係止部の仮係止を解除し、コネクタ間嵌合位置まで嵌合すると前記ロックアームが撓み復帰して前記ロックアームが前記ロックアーム係止部に係止し、前記第２のコネクタハウジングが前記取付孔への挿入完了位置まで移動すると、前記本係止部が前記取付孔の周縁に係止するコネクタ装置であって、
前記第１のコネクタハウジングは、前記取付孔の周縁に仮係止する状態に撓み変形し、仮係止位置が前記ロックアームの仮係止位置を支点とする前記第１のコネクタハウジングの回転を阻止する位置に設定されている回転阻止用ロックアームを有し、
前記第２のコネクタハウジングは、前記回転阻止用ロックアームを撓み変形させる回転阻止用押圧部を有し、
前記ロックアーム係止部が前記ロックアームを前記取付孔の周縁に仮係止するタイミングで、前記回転阻止用押圧部が、前記回転阻止用ロックアームを前記取付孔の周縁に仮係止状態とすることを特徴とするコネクタ装置。
【請求項２】
前記第２のコネクタハウジングのロックアーム係止部は、前記ロックアームを嵌合する嵌合部を備えることを特徴とする請求項１に記載のコネクタ装置。
【発明の詳細な説明】
【技術分野】
【０００１】
本発明は、電線の接続等に使用されるコネクタ装置に関するものである。
【背景技術】
【０００２】
自動車等は、車体の一部を構成するピラーやパネル等の取付部材を挟んだ状態で互いに嵌合する第１のコネクタハウジングと第２のコネクタハウジングとを有したコネクタ装置（コネクタ）を用いている。
【０００３】
コネクタ装置としては、例えば、パネルの取付孔に第１のコネクタハウジングを仮係止し、第２のコネクタハウジングをその第１のコネクタハウジングに嵌合させるものが知られている（例えば、特許文献１参照）。
【０００４】
特許文献１に開示されるコネクタは、図８〜図１２に示すような構成を有している。
【０００５】
なお、図８は、第１のコネクタハウジング１０４と第２のコネクタハウジング１０３とを有したコネクタ１０１を示す斜視図、図９〜図１２は、仮係止された第１のコネクタハウジング１０４に対して、第２のコネクタハウジング１０３が順次嵌合されていく過程を示す断面図である。
【０００６】
図８、図９等に示すコネクタ１０１は、自動車などに配索されるワイヤハーネスを構成する。このコネクタ１０１は、図８等に示すように、互いの間に車体を構成するボディパネル（以下、パネルと呼ぶ）１０２を挟んだ状態で、互いに嵌合する第１のコネクタハウジング１０４および第２のコネクタハウジング１０３とから構成されている。
【０００７】
パネル１０２には、図８に示すように、パネル１０２を貫通する取付孔１０７が設けられている。第１のコネクタハウジング１０４と第２のコネクタハウジング１０３は、互いの間にパネル１０２を位置合わせした状態でパネル１０２の取付孔１０７内に挿通されて互いに嵌合し、パネル１０２に固定される。
【０００８】
第１のコネクタハウジング１０４は、合成樹脂で成形され、本体部１４１、一対の仮係止部１１２およびロックアーム１０９等を有している。
【０００９】
ロックアーム１０９は、上壁１４４から立設し、嵌合方向に沿って第２のコネクタハウジング１０３が取り付けられる側に向かって延設される板状のアーム部１９１と、アーム部１９１の先端部１９１ａから上壁１４４の面方向に沿って嵌合方向と直交する方向に突出した一対のロック部１９２と、アーム部１９１の先端部１９１ａから高さ方向に沿って本体部１４１の外側に突出した突起部１９３とを有している。
【００１０】
ロックアーム１０９は、第１のコネクタハウジング１０４がパネル１０２に仮係止された状態で第２のコネクタハウジング１０３と嵌合される過程において、図９および図１０に示すように、ロック部１９２が後述する第２のコネクタハウジング１０３側の係合部としてのリブ１０８と摺接して乗り上げることで上方に撓み変形し、パネル１０２の取付孔１０７の周縁に接触して押圧されることにより、仮係止部１１２によるパネル１０２への仮係止が解除された状態の第１のコネクタハウジング１０４がパネル１０２から脱落することを防止するようになっている。
【００１１】
一方、第２のコネクタハウジング１０３も合成樹脂で成形されており、本体部１３２と、フランジ部１３１と、一対の本係止部１１１（図８参照）と、ロックアーム１０９と係合する一対のリブ１０８、ロック部１９２の嵌合部１１０等を有している。
【００１２】
そして、図１１に示すように、第１のコネクタハウジング１０４と第２のコネクタハウジング１０３との嵌合の最終過程において、第１のコネクタハウジング１０４側のロックアーム１０９のロック部１９２は、第２のコネクタハウジング１０３側の嵌合部１１０に嵌合し、第１のコネクタハウジング１０４と第２のコネクタハウジング１０３とが結合される。
【００１３】
さらに、図１１に示すＡ方向に、第１のコネクタハウジング１０４と第２のコネクタハウジング１０３との結合体を押圧することにより、図１２に示すように、第１のコネクタハウジング１０４側のフランジ部１３１がパネル１０２の近傍で対向する位置まで移動する。この状態において、第２のコネクタハウジング１０４側の本係止部１１１とパネル１０２の取付孔１０７の周縁とが係合されて、コネクタ１０１がパネル１０２に固定される。なお、フランジ部１３１には、図１２に示すようにグロメット２１０が取付けられている。
【先行技術文献】
【特許文献】
【００１４】
【特許文献１】特開２００９−１６１９８号公報
【発明の概要】
【発明が解決しようとする課題】
【００１５】
ところで、図１０に示すような第１のコネクタハウジング１０４と第２のコネクタハウジング１０３との嵌合途中の状態において、ロックアーム１０９のアーム部１９１は、第２のコネクタハウジング１０３側のリブ１０８と摺接して乗り上げて上方に撓み変形し、パネル１０２の取付孔１０７の周縁に接触して押圧された状態となっている。
【００１６】
しかし、このような状態から第１のコネクタハウジング１０４と第２のコネクタハウジング１０３との嵌合を深めるように、図１３に示すような嵌合方向の押圧力Ｆ１を加えると、第１のコネクタハウジング１０４と第２のコネクタハウジング１０３との結合体にアーム部１９１の上面と取付孔１０７の周縁との接触点を支点Ｐ１とした回転力Ｆ２が発生する。
【００１７】
この回転力Ｆ２により、本来はパネル１０２と平行状態で対向すべき部位（例えば、突出部１５０）に、パネル１０２に対する傾斜角θを生じてしまう。
【００１８】
この傾斜角θの影響により、押圧力Ｆ１による嵌合方向のベクトルが分散されてしまい、第１のコネクタハウジング１０４と第２のコネクタハウジング１０３とを嵌合させる方向の力が弱められ、嵌合作業の円滑性や効率性が妨げられるという問題が発生していた。
【００１９】
本発明は、上記課題に鑑みてなされたものであり、嵌合作業の円滑性、効率性を向上させることができるコネクタ装置を提供することを目的とする。
【課題を解決するための手段】
【００２０】
上記目的を達成するため、請求項１に記載の発明に係るコネクタ装置は、取付部材の取付孔の一方側から挿入される第１のコネクタハウジングと、前記取付部材の取付孔の他方側から挿入される第２のコネクタハウジングとを備え、前記第１のコネクタハウジングは、前記取付孔の周縁に仮係止される仮係止部と前記第２のコネクタハウジングに係止されるロックアームとを有し、前記第２のコネクタハウジングは、前記第１のコネクタハウジングへの嵌合過程で前記仮係止部を解除位置に変位させる仮係止解除部と前記ロックアームを前記取付孔の周縁に仮係止させる状態に撓み変形させ、且つ、前記ロックアームを係止するロックアーム係止部と取付孔の挿入完了位置で前記取付孔の周縁に係止する本係止部とを有し、前記仮係止部が前記取付孔の周縁に仮係止された前記第１のコネクタハウジングに前記第２のコネクタハウジングを嵌合すると、嵌合過程で前記ロックアーム係止部によって前記ロックアームを前記取付孔の周縁に仮係止するように弾性変形し、この仮係止状態で前記仮係止解除部が前記仮係止部の仮係止を解除し、コネクタ間嵌合位置まで嵌合すると前記ロックアームが撓み復帰して前記ロックアームが前記ロックアーム係止部に係止し、前記第２のコネクタハウジングが前記取付孔への挿入完了位置まで移動すると、前記本係止部が前記取付孔の周縁に係止するコネクタ装置であって、前記第１のコネクタハウジングは、前記取付孔の周縁に仮係止する状態に撓み変形し、仮係止位置が前記ロックアームの仮係止位置を支点とする前記第１のコネクタハウジングの回転を阻止する位置に設定されている回転阻止用ロックアームを有し、前記第２のコネクタハウジングは、前記回転阻止用ロックアームを撓み変形させる回転阻止用押圧部を有し、前記ロックアーム係止部が前記ロックアームを前記取付孔の周縁に仮係止するタイミングで前記回転阻止用押圧部が前記回転阻止用ロックアームを前記取付孔の周縁に仮係止状態とすることを特徴とする。
【００２１】
請求項１に係るコネクタ装置によれば、回転阻止用ロックアームが、ロックアームと取付孔の周縁との接触部を支点にした第１のコネクタハウジングの回転を阻止するように取付孔の周縁に仮係止するので、従来の構成に比較して嵌合作業の円滑性、効率性を向上させることができる。
【００２２】
即ち、従来の構成に係るコネクタでは、嵌合過程において、ロックアームと取付孔の周縁との接触部を支点にした第１のコネクタハウジングの回転により、本来はパネルと平行状態で対向すべき部位にパネルに対する所定の傾斜角を生じていた。そのため、傾斜角の影響により、押圧力による嵌合方向のベクトルが分散されてしまい、第１のコネクタハウジングと第２のコネクタハウジングとを嵌合させる方向の力が弱められ、嵌合作業の円滑性や効率性が妨げられるという問題が発生していた。
【００２３】
これに対して、本発明に係るコネクタ装置では、ロックアーム係止部がロックアームを取付孔の周縁に仮係止するタイミングで回転阻止用押圧部が回転阻止用ロックアームを取付孔の周縁に仮係止状態とするので、ロックアームと取付孔の周縁との接触部を支点にした第１のコネクタハウジングの回転が阻止され、嵌合方向の押圧力のベクトルが他方向に分散される事態が回避され、嵌合作業の円滑性、効率性が向上される。
【００２４】
請求項２に係る発明は、請求項１に記載のコネクタ装置において、前記第２のコネクタハウジングのロックアーム係止部は、前記ロックアームを嵌合する嵌合部を備えることを特徴とする。
【００２５】
請求項２に係るコネクタ装置によれば、嵌合過程の進行によってロックアームが嵌合部に嵌合することにより、第１のコネクタハウジングと第２のコネクタハウジングとの結合状態を確実に保持することができる。
【発明の効果】
【００２６】
本発明によれば、嵌合作業の円滑性、効率性を向上させることができるコネクタ装置を提供することができる。
【図面の簡単な説明】
【００２７】
【図１】実施の形態に係るコネクタ装置の構成例を示す分解斜視図である。
【図２】実施の形態に係るコネクタ装置の嵌合過程を示す側面図（ａ）、断面図（ｂ）、要部の拡大断面図（ｃ）である。
【図３】実施の形態に係るコネクタ装置の嵌合過程の続きを示す側面図（ａ）、断面図（ｂ）、要部の拡大断面図（ｃ）、他の要部の拡大断面図（ｄ）である。
【図４】実施の形態に係るコネクタ装置の嵌合過程の続きを示す側面図（ａ）、断面図（ｂ）、要部の拡大断面図（ｃ）、他の要部の拡大断面図（ｄ）である。
【図５】実施の形態に係るコネクタ装置の嵌合過程の続きを示す側面図（ａ）、断面図（ｂ）、要部の拡大断面図（ｃ）である。
【図６】実施の形態に係るコネクタ装置の嵌合過程の完了状態を示す側面図（ａ）、断面図（ｂ）、要部の拡大断面図（ｃ）である。
【図７】実施の形態に係るコネクタ装置の嵌合過程におけるパネルとの位置関係を示す説明図である。
【図８】従来例に係るコネクタの構成を示す斜視図である。
【図９】従来例に係るコネクタの嵌合過程を示す断面図である。
【図１０】従来例に係るコネクタの嵌合過程の続きを示す断面図である。
【図１１】従来例に係るコネクタの嵌合過程の続きを示す断面図である。
【図１２】従来例に係るコネクタの嵌合過程の完了状態を示す断面図である。
【図１３】従来例に係るコネクタの嵌合過程におけるパネルとの位置関係を示す説明図である。
【発明を実施するための形態】
【００２８】
図１〜図７を参照して、本発明の実施の形態に係るコネクタ装置１について説明する。
【００２９】
（コネクタ装置の構成例）
本発明の実施の形態に係るコネクタ装置１は、図１〜図６に示すような構成を有している。
【００３０】
ここで、図１は、第１のコネクタハウジング４と第２のコネクタハウジング３とを有したコネクタ装置１の構成を示す分解斜視図、図２〜図６は、仮係止された第１のコネクタハウジング４に対して、第２のコネクタハウジング３が順次嵌合されていく過程を示す側面図、断面図等である。
【００３１】
図１、図２等に示すコネクタ装置１は、自動車等に配索されるワイヤハーネスなどに用いられる。
【００３２】
図１等に示すように、コネクタ装置１は、互いの間に車体の一部を構成する取付部材の一種としてのピラー２を挟んだ状態で、互いに嵌合する第１のコネクタハウジング４および第２のコネクタハウジング３とから構成されている。
【００３３】
ピラー２には、図１に示すように、ピラー２を貫通する取付孔７が設けられている。第１のコネクタハウジング４と第２のコネクタハウジング３は、互いの間にピラー２を位置合わせした状態でピラー２の取付孔７内に挿通されて互いに嵌合し、ピラー２に固定される。
【００３４】
第１のコネクタハウジング４は、合成樹脂で成形され、本体部４１、一対の仮係止部１２およびロックアーム９等を有している。
【００３５】
本体部４１には、サブコネクタ３００ａ、３００ｂを後方側から挿入して保持可能なサブコネクタ保持部３０１ａ、３０１ｂが形成されている。また、サブコネクタ保持部３０１ａと３０１ｂとの間には、後端側にコネクタ部（図示せず）を設けた係合部３０２が形成されている。
【００３６】
なお、サブコネクタ３００ａ、３００ｂは、車載機器等から配策されるケーブルの端子が接続されるようになっている。
【００３７】
図２（ｂ）等に示すように、ロックアーム９は、上壁４４から立設し、嵌合方向に沿って第２のコネクタハウジング３が取り付けられる側に向かって延設される板状のアーム部９１と、アーム部９１の先端部９１ａから上壁４４の面方向に沿って嵌合方向と直交する方向に突出した一対のロック部９２（図１参照）と、アーム部９１の先端部９１ａから高さ方向に沿って本体部４１の外側に突出した突起部９３とを有している。
【００３８】
ロックアーム９は、第１のコネクタハウジング４がピラー２に仮係止された状態で第２のコネクタハウジング３と嵌合される過程において、図３（ｂ）、（ｄ）および図４（ｂ）、（ｄ）に示すように、ロック部９２が後述する第２のコネクタハウジング３側のロックアーム係止部としてのリブ８と摺接して乗り上げることで上方に撓み変形し、ピラー２の取付孔７の周縁に接触して押圧されることにより、仮係止部１２によるピラー２への仮係止が解除された第１のコネクタハウジング４がピラー２から脱落することを防止するようになっている。
【００３９】
また、係合部３０２の底面には、嵌合方向に沿って第２のコネクタハウジング３が取り付けられる側と反対方向に向かって延設される回転阻止用ロックアーム２００が設けられている。
【００４０】
回転阻止用ロックアーム２００は、図２（ｂ）等に示すように、撓み変形して変位する部分に突起部２００ａ、２００ｂが形成され、後述する第２のコネクタハウジング３側の回転阻止用押圧部２５０および取付孔７の周縁と係合するように構成されている。
【００４１】
この回転阻止用ロックアーム２００は、仮係止部１２による取付孔７の周縁との係合が解除されるタイミングで、第２のコネクタハウジング３側の回転阻止用押圧部２５０の摺接面２５０ａと摺接して外側（図３（ｂ）等において下方側）に撓み、図３（ｂ）、図４（ｂ）に示すように、回転阻止用ロックアーム２００の突起部３００ｂと取付孔７の周縁とが押圧状態で接触する。このような回転阻止用ロックアーム２００と取付孔７の周縁との接触により、嵌合過程において、第１のコネクタハウジング４が接触部７ａを支点Ｐ１として回転する事態が阻止される。詳細については後述する。
【００４２】
一方、第２のコネクタハウジング３も合成樹脂で成形されており、本体部３２と、フランジ部３１と、第１のコネクタハウジング４への嵌合過程で仮係止部１２を解除位置に変位させる仮係止解除部４００とロックアーム９を取付孔７の周縁に仮係止させる状態に撓み変形させ、且つ、ロックアーム９を係止するロックアーム係止部８と取付孔７の挿入完了位置で取付孔７の周縁に係止する本係止部１１とを有している。
【００４３】
なお、ロックアーム係止部８の端部には、ロックアーム９と嵌合する窪み状の嵌合部１０が形成されている。
【００４４】
また、フランジ部３１には、各種周辺装置等のケーブルの端子を接続するコネクタ部３３ａ〜３３ｃが一体的に設けられている。
【００４５】
また、本実施の形態において、仮係止解除部４００は、本係止部１１と一体的に形成されている。
【００４６】
（コネクタ装置の嵌合過程）
図２〜図６を参照して、上記のような構成の第１のコネクタハウジング４と第２のコネクタハウジング３との嵌合過程について説明する。
【００４７】
まず、図２は嵌合初期の状態を示している。
【００４８】
図２に示す嵌合過程では、ピラー２の取付孔７に第１のコネクタハウジング４が挿入され、一対の仮係止部１２は取付孔７の周縁との接触による撓み変形を経て、図２（ｃ）に示すように、ピラー２の取付孔７の周縁に係合される。
【００４９】
これにより、第１のコネクタハウジング４は、ピラー２に対して仮係止された状態となる。
【００５０】
次いで、このように仮係止された状態の第１のコネクタハウジング４に対して、第２のコネクタハウジング３の嵌合が開始される。
【００５１】
図２（ｂ）に示す状態では、第１のコネクタハウジング４側のロックアーム９の先端部９ａが、第２のコネクタハウジング３側のロックアーム係止部８の先端との接触を開始している。
【００５２】
また、第１のコネクタハウジング４側の回転阻止用ロックアーム２００と、第２のコネクタハウジング３側の回転阻止用押圧部２５０の摺接面２５０ａとは、未だ非接触の状態にある。
【００５３】
また、図２（ｃ）に示すように、第１のコネクタハウジング４側の仮係止部１２と、仮係止解除部４００とは、未だ非接触の状態にある。
【００５４】
次に、図３に示す嵌合過程では、第１のコネクタハウジング４側のロックアーム９のアーム部９１が、第２のコネクタハウジング３側のロックアーム係止部８としてのリブ８ａの上面に摺接し、アーム部９１が上方に撓んで、ピラー２の取付孔７の周縁７ａに押圧された状態で係止する（図３（ｂ）、（ｄ）参照）。
【００５５】
また、第１のコネクタハウジング４側の回転阻止用ロックアーム２００の突起部２００ａは、第２のコネクタハウジング３側の回転阻止用押圧部２５０の摺接面（下面）２５０ａと摺接して回転阻止用ロックアーム２００自体が下方側に撓み、突起部２００ｂがピラー２の取付孔７の周縁７ｂと係止する。
【００５６】
これにより、第１のコネクタハウジング４と第２のコネクタハウジング３の結合体は、ピラー２の取付孔７の周縁７ａおよび周縁７ｂの２箇所で保持された状態となる。
【００５７】
なお、図３（ｃ）に示すように、第１のコネクタハウジング４側の仮係止部１２と、仮ロック解除手段としての仮係止解除部４００とは接触を開始しているが、仮係止部１２によるピラー２との仮係止状態は未だ保持された状態となっている。
【００５８】
次に、図４に示す嵌合過程では、第１のコネクタハウジング４側のロックアーム９のアーム部９１と、第２のコネクタハウジング３側のロックアーム係止部８としてのリブ８ａの上面との摺接が解除され、アーム部９１と周縁７ａとの間に隙間を生じた状態となる（図４（ｂ）、（ｄ）参照）。
【００５９】
また、第１のコネクタハウジング４側の回転阻止用ロックアーム２００の突起部２００ｂはピラー２の取付孔７の周縁７ｂとの接触状態を保持している。
【００６０】
一方、図４（ｃ）に示すように、第１のコネクタハウジング４側の仮係止部１２と、仮ロック解除手段としての仮係止解除部４００とが摺接し、仮係止部１２が内側（図４（ｃ）では上側）に撓んで変位し、仮係止部１２によるピラー２との仮係止状態は解除された状態となっている。
【００６１】
次に、図５に示す嵌合過程では、第１のコネクタハウジング４側のロックアーム９の先端部９１ａが、第２のコネクタハウジング３側の嵌合部１０に嵌合する。これにより、第１のコネクタハウジング４と第２のコネクタハウジング３の結合体が分離しないように固定される。
【００６２】
また、第１のコネクタハウジング４側の回転阻止用ロックアーム２００は、回転阻止用押圧部２５０における摺接面２５０ａと接触高さの異なる摺接面２５０ｂと摺接し、突起部２００ｂはピラー２の取付孔７の周縁７ｂとの接触状態が解除されている（図５（ｂ）参照）。
【００６３】
また、図５（ｃ）に示すように、仮係止部１２によるピラー２との仮係止は解除された状態となっており、本係止部１１とピラー２の取付孔７の周縁とはまだ係合されていない。
【００６４】
次いで、図５（ａ）、（ｂ）に示すＡ方向に、第１のコネクタハウジング４と第２のコネクタハウジング３との結合体を押圧することにより、図６に示すように、第１のコネクタハウジング４側のフランジ部３１がピラー２の近傍で対向する挿入完了位置まで移動する。
【００６５】
この状態において、図６（ｃ）に示すように、第１のコネクタハウジング４側の本係止部１１とピラー２の周縁とが係合されて、コネクタ装置１がピラー２に固定される。
【００６６】
このような嵌合過程により、第１のコネクタハウジング４と第２のコネクタハウジング３との嵌合が完了され、且つ、コネクタ装置１のピラー２への固定が完了する。
【００６７】
（コネクタ装置の嵌合途中における傾きについて）
ここで、図７および前出の図１３を参照して、本実施の形態に係るコネクタ装置１および従来例に係るコネクタ１０１の嵌合途中における傾きについて比較する。
【００６８】
まず、先に説明したように、従来例に係るコネクタ１０１では、図１３に示すように、第１のコネクタハウジング１０４と第２のコネクタハウジング１０３との嵌合を深めるように、嵌合方向の押圧力Ｆ１を加えると、第１のコネクタハウジング１０４と第２のコネクタハウジング１０３との結合体にアーム部１９１の上面と取付孔１０７の周縁との接触点を支点Ｐ１とした回転力Ｆ２が加わる。そのため、本来はパネル１０２と平行状態で対向すべき部位（例えば、突出部１５０）に、パネル１０２に対する傾斜角θを生じている。この傾斜角θの影響により、押圧力Ｆ１による嵌合方向のベクトルが分散されてしまい、第１のコネクタハウジング１０４と第２のコネクタハウジング１０３とを嵌合させる方向の力が弱められ、嵌合作業の円滑性や効率性が妨げられる。
【００６９】
これに対して、本実施の形態に係るコネクタ装置１では、図７（前出の図３から図４の嵌合過程に相当）に示すように、第１のコネクタハウジング４側のロックアーム９のアーム部９１が、第２のコネクタハウジング３側のロックアーム係止部８としてのリブ８ａの上面に摺接し、アーム部９１が上方に撓んで、ピラー２の取付孔７の周縁７ａに押圧された状態で接触し、第１のコネクタハウジング４側の回転阻止用ロックアーム２００の突起部２００ａは、第２のコネクタハウジング３側の回転阻止用押圧部２５０の摺接面（下面）２５０ａと摺接して回転阻止用ロックアーム２００自体が下方側に撓み、突起部２００ｂがピラー２の取付孔７の周縁７ｂと接触している。
【００７０】
これにより、第１のコネクタハウジング４と第２のコネクタハウジング３の結合体は、ピラー２の取付孔７の周縁７ａおよび周縁７ｂの２箇所で保持された状態となる。
【００７１】
したがって、図７に示すように、第１のコネクタハウジング４と第２のコネクタハウジング３との嵌合を深めるように、嵌合方向の押圧力Ｆ１が加えられた場合であっても、ロックアーム９と取付孔７の周縁７ａとの接触部を支点Ｐ１にした第１のコネクタハウジング４の回転や傾きは、回転阻止用ロックアーム２００と取付孔７の周縁７ｂとの係合によって阻止される。
【００７２】
また、仮に、回転阻止用ロックアーム２００と取付孔７の周縁７ｂとの接触部を支点Ｐ２にして第１のコネクタハウジング４に回転力が働いたとしても、ロックアーム９のアーム部９１と取付孔７の周縁７ａとの係止により第１のコネクタハウジング４自体の回転や傾きは阻止される。
【００７３】
このように、本実施の形態に係るコネクタ装置１では、ピラー２と平行状態で対向すべき部位（例えば、突出部１５０）に、押圧力Ｆ１による嵌合方向のベクトルを分散させるような傾きは生じない。
【００７４】
よって、本実施の形態に係るコネクタ装置１によれば、従来例のように嵌合方向の押圧力Ｆ１のベクトルが他方向に分散されて、嵌合させる方向の力が弱められる事態が回避され、嵌合作業の円滑性、効率性を向上させることができる。
【００７５】
以上、本発明のコネクタ装置を図示の実施形態に基づいて説明したが、本発明はこれに限定されるものではなく、各部の構成は、同様の機能を有する任意の構成のものに置き換えることができる。
【符号の説明】
【００７６】
１…コネクタ装置
２…パネル
３…第２のコネクタハウジング
４…第１のコネクタハウジング
７…取付孔
７ａ、７ｂ…周縁（接触部）
８…ロックアーム係止部
８ａ…リブ
９…ロックアーム
１０…嵌合部
１１…本係止部
１２…仮係止部
３１…フランジ部
３２、４１…本体部
４４…上壁
９１…アーム部
９１ａ…先端部
９２…ロック部
９３…突起部
２００…回転阻止用ロックアーム
２００ａ、２００ｂ…突起部
２５０…回転阻止用押圧部
２５０ａ、２５０ｂ…摺接面
３００ａ…サブコネクタ
３００ｂ…突起部
３０１ａ…サブコネクタ保持部
３０２…係合部
４００…仮係止解除部
Ｆ１…押圧力
Ｆ２…回転力
Ｐ１、Ｐ２…支点
【図１】
2016066562.tif 000003
【図２】
2016066562.tif 000004
【図３】
2016066562.tif 000005
【図４】
2016066562.tif 000006
【図５】
2016066562.tif 000007
【図６】
2016066562.tif 000008
【図７】
2016066562.tif 000009
【図８】
2016066562.tif 000010
【図９】
2016066562.tif 000011
【図１０】
2016066562.tif 000012
【図１１】
2016066562.tif 000013
【図１２】
2016066562.tif 000014
【図１３】
2016066562.tif 000015